(57)【要約】【課題】  本発明は覗き見されては困る携帯端末の操作時には容易に覗き見できなくすることができるとともに、覗き見されてもよいワンセグを見たり、ゲームを行なう場合にはきれいな画面で行なうことができる、簡単に覗き見防止フィルムの着脱を行なうことができ、該覗き見防止フィルムの着脱で携帯端末を汚したりすることのない携帯端末用ケース体を得るにある。【解決手段】  タッチパネルを備える携帯端末の背面、外周部および前面外周部を覆う前縁部材を有するケース体本体と、このケース体本体の前縁部材の両側部と前記携帯端末の両側部との間に、両側部が挿入固定される一側部の寸法よりも他側部の寸法が小さく形成された、該携帯端末のタッチパネルを覆う覗き見防止フィルムとで携帯端末用ケース体を構成している。【選択図】  図２
2014060650.tif 000002
【特許請求の範囲】
【請求項１】
タッチパネルを備える携帯端末の背面、外周部および前面外周部を覆う前縁部材を有するケース体本体と、このケース体本体の前縁部材の両側部と前記携帯端末の両側部との間に、両側部が挿入固定される一側部の寸法よりも他側部の寸法が小さく形成された、該携帯端末のタッチパネルを覆う覗き見防止フィルムとからなることを特徴とする携帯端末用ケース体。
【請求項２】
覗き見防止フィルムの両端部のケース体本体の前縁部材と携帯端末の両側部とに挿入される部位の上面は傾斜面に形成されていることを特徴とする請求項１記載の携帯端末用ケース体。
【請求項３】
覗き見防止フィルムの両端部あるいは両端部寄りの部位には、該覗き見防止フィルムの上下移動をケース体本体の上下面部位と当接して、その移動を阻止する脚部で形成した上下移動防止具を設けたことを特徴とする請求項１または２いずれかに記載の携帯端末用ケース体。
【請求項４】
覗き見防止フィルムの両端部と、この両端部と対応する部位のケース体本体の前縁部材の内壁面のいずれか一方、あるいは両方に上下方向の移動を阻止する凹部あるいは凹部と、該凹部へ入り込む突起とからなる上下移動防止具が設けられていることを特徴とする請求項１または２いずれかに記載の携帯端末用ケース体。
【発明の詳細な説明】
【技術分野】
【０００１】
本発明はタッチパネルを備えるスマートフォン、タブレット等の携帯端末を収納する携帯端末用ケース体に関する。
【背景技術】
【０００２】
従来、タッチパネルを備えるスマートフォンやタブレット等の携帯端末は外出時に使用すると、その携帯端末の画面が隣りの人から覗き見されるため、タッチパネル部分に覗き見防止フィルムを貼り付けて使用することが行なわれている。
【０００３】
しかし、この覗き見防止フィルムをタッチパネル部分に貼り付けると、画面が暗くなり、ワンセグを見たり、ゲームを行なう場合、覗き見防止フィルムできれいな画面が損なわれるという欠点があった。
【０００４】
また、タッチパネル部分に覗き見防止フィルムを貼り付けるため、該覗き見防止フィルムを取り外すと、タッチパネル部分に接着剤が残り、汚れるとともに、接着剤の除去に苦労するという欠点があった。
また、携帯端子を保護するためのケース体も種々考えられている。
【先行技術文献】
【特許文献】
【０００５】
【特許文献１】実用新案登録第３１７６９６０号公報
【発明の概要】
【発明が解決しようとする課題】
【０００６】
本発明は以上のような従来の欠点に鑑み、覗き見されては困る携帯端末の操作時には容易に覗き見できなくすることができるとともに、覗き見されてもよいワンセグを見たり、ゲームを行なう場合にはきれいな画面で行なうことができる、簡単に覗き見防止フィルムの着脱を行なうことができ、該覗き見防止フィルムの着脱で携帯端末を汚したりすることのない携帯端末用ケース体を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明はタッチパネルを備える携帯端末の背面、外周部および前面外周部を覆う前縁部材を有するケース体本体と、このケース体本体の前縁部材の両側部と前記携帯端末の両側部との間に、両側部が挿入固定される一側部の寸法よりも他側部の寸法が小さく形成された、該携帯端末のタッチパネルを覆う覗き見防止フィルムとで携帯端末用ケース体を構成している。
【発明の効果】
【０００９】
以上の説明から明らかなように、本発明にあっては次に列挙する効果が得られる。
（１）請求項１により、覗き見されては困る外出時の携帯端末の操作時には、タッチパネルを覗き見防止フィルムで覆って、覗き見ができないようにするとともに、覗き見をされてもよいワンセグやゲームを行なう場合には、簡単に外して、きれいな画面で楽しむことができる。    
（２）前記（１）によって、覗き見防止フィルムの寸法が大きい方を携帯端末の側部とケース体本体の前縁部材との間に挿入し、覗き見防止フィルムの寸法の小さい方のケース体本体の前縁部材を持ち上げることにより、覗き見防止フィルムの他側部を携帯端末とケース体本体の前縁部材との間に挿入位置させて固定することができ、取り外しもこの逆操作でできる。
したがって、覗き見防止フィルムの着脱を容易に行なうことができる。
（３）前記（１）によって、覗き見防止フィルムを携帯端末の両側部とケース体本体の前縁部材の両側部との間に挿入固定するので、携帯端末に従来のように覗き見防止フィルムを貼着している接着剤が付着するのを防止でき、携帯端末を汚すことなく、きれいに使用することができる。
（４）請求項２も前記（１）〜（３）と同様な効果が得られるとともに、覗き見防止フィルムの携帯端末への取付けを、傾斜面によって、さらに容易に行なうことができる。
（５）請求項３、４も前記（１）〜（３）と同様な効果が得られるとともに、操作時に覗き見防止フィルムの移動を確実に防止することができる。
【図面の簡単な説明】
【００１０】
【図１】本発明を実施するための第１の形態の使用状態の平面図。
【図２】図１の２−２線に沿う断面図。
【図３】図１の３−３線に沿う断面図。
【図４】本発明を実施するための第１の形態のケース体本体の説明図。
【図５】本発明を実施するための第１の形態の覗き見防止フィルムの説明図。
【図６】覗き見防止フィルムの取付け状態を示す説明図。
【図７】覗き見防止フィルムの取り外し状態を示す説明図。
【図８】本発明を実施するための第２の形態の使用状態の平面図。
【図９】図８の９−９線に沿う断面図。
【図１０】本発明を実施するための第２の形態のケース体本体の説明図。
【図１１】本発明を実施するための第３の形態の使用状態の平面図。
【図１２】図１１の１２−１２線に沿う断面図。
【図１３】本発明を実施するための第３の形態の覗き見防止フィルムの説明図。
【図１４】本発明を実施するための第４の形態の使用状態の平面図。
【図１５】図１４の１５−１５線に沿う断面図。
【図１６】本発明を実施するための第４の形態の覗き見防止フィルムの説明図。
【図１７】本発明を実施するための第５の形態の使用状態の平面図。
【図１８】図１７の１８−１８線に沿う断面図。
【図１９】本発明を実施するための第５の形態の覗き見防止フィルムの説明図。
【図２０】本発明を実施するための第６の形態の使用状態の平面図。
【図２１】図２０の２１−２１線に沿う断面図。
【図２２】本発明を実施するための第６の形態のケース体本体の説明図。
【図２３】本発明を実施するための第７の形態の使用状態の平面図。
【図２４】図２３の２４−２４線に沿う断面図。
【図２５】本発明を実施するための第７の形態の覗き見防止フィルムの説明図。
【図２６】本発明を実施するための第８の形態の使用状態の平面図。
【図２７】図２６の２７−２７線に沿う断面図。
【図２８】本発明を実施するための第８の形態の覗き見防止フィルムの説明図。
【図２９】本発明を実施するための第９の形態の使用状態の平面図。
【図３０】図２９の３０−３０線に沿う断面図。
【図３１】本発明を実施するための第９の形態の覗き見防止フィルムの説明図。
【図３２】本発明を実施するための第１０の形態の使用状態の平面図。
【図３３】図３２の３３−３３線に沿う断面図。
【図３４】本発明を実施するための第１０の形態の覗き見防止フィルムの説明図。
【発明を実施するための形態】
【００１１】
以下、図面に示す本発明を実施するための形態により、本発明を詳細に説明する。
【００１２】
図１ないし図７に示す本発明を実施するための第１の形態において、１はタッチパネル２を備える携帯端末としてのスマートフォン３を収納する本発明の携帯端末用ケース体で、この携帯端末用ケース体１は前記携帯端末としてのスマートフォン３の背面、外周部および前面外周部を覆う前縁部材４を有するケース体本体５と、このケース体本体５の前縁部材４の両側部４ａ、４ａと、前記携帯端末としてのスマートフォン３の両側部３ａ、３ａとの間に両端部が挿入固定される該携帯端末としてのスマートフォン３のタッチパネル２を覆う覗き見防止フィルム６とで構成されている。
【００１３】
前記ケース体本体５はシリコン、熱可塑性ポリウレタン等の柔らかい素材を用いて成型された、通常ソフトケースと称されているものが使用されている。
【００１４】
前記覗き見防止フィルム６は、左右方向からはタッチパネル２の画面が見えないものや、正面以外の上下左右方向からはタッチパネル２の画面が見えない既存の覗き見防止フィルムを使用し、一側部６ａの寸法よりも他方の寸法が小さくなるように、該他方の上下部位に切り欠部７、７を形成した突部８となるように形成され、該突部８と一側部６ａが容易に挿入できるように傾斜面９、９に形成されている。
【００１５】
上記構成の携帯端末用ケース体１は、携帯端末としてのスマートフォン３に従来と同様にケース体本体５を取付ける。
【００１６】
しかる後、スマートフォン３の一側部３ａとケース体本体５の一側の前縁部材４との間に覗き見防止フィルム６の一側部６ａを挿入し、他側の前縁部材４を上方へ回動させて、覗き見防止フィルム６の突部８をスマートフォン３方向へ押し付けることにより、覗き見防止フィルム６の突部８をスマートフォン３の他側部とケース体本体５の他側の前縁部材４との間に挿入することができ、該覗き見防止フィルム６上よりタッチパネル２を操作して使用することにより、覗き見されるのを防止できる。
【００１７】
スマートフォン３でワンセグを見たり、ゲームを行なう場合、覗き見防止フィルム６が画面（タッチパネル）を覆っていると、きれいに見ることができないので、この場合には覗き見防止フィルム６の突部８側のケース体本体５の前縁部材４を上方へ回動させて、覗き見防止フィルム６の突部８を上方へ回動させて取り外すことにより、簡単に覗き見防止フィルム６をスマートフォン３より取り外して、ワンセグやゲームをきれいな画面で楽しむことができる。  
【００１８】
[発明を実施するための異なる形態]
次に、図８ないし図３４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図８ないし図１０に示す本発明を実施するための第２の形態において、前記本発明を実施するための第１の形態と主に異なる点は、両側部に傾斜面を形成していない覗き見防止フィルム６Ａを用いた点で、このような覗き見防止フィルム６Ａを用いて構成した携帯端末用ケース体１Ａにすることにより、取付け時に覗き見防止フィルム６Ａの携帯端末３とケース体本体５の前縁部材４とヘの挿入に、本発明の第１の実施の形態より手数がかかるが、取り外し時に覗き見防止フィルム６Ａの突部８ヘ指先を掛けやすくなり、容易に取り外すことができる。
【００２０】
図１１ないし図１３に示す本発明を実施するための第３の形態において、前記本発明を実施するための第２の形態と主に異なる点は、覗き見防止フィルム６Ａの両端部と対応する部位のケース体本体５Ａの前縁部材４の内壁面に覗き見防止フィルム６Ａの両端部が収納される凹部１０、１１を形成した点で、このように形成されたケース体本体５Ａを用いて構成した携帯端末用ケース体１Ｂにしても、覗き見防止フィルム６Ａの着脱作業を容易にできるとともに、移動を効率よく阻止することができる。
【００２１】
図１４ないし図１６に示す本発明を実施するための第４の形態において、前記本発明を実施するための第１の形態と主に異なる点は、両側上下部に先端部が周壁の内面と当接して、移動するのを阻止するストッパー片１２、１２、１２、１２を形成した覗き見防止フィルム６Ｂを用いた点で、このような覗き見防止フィルム６Ｂを用いて構成した携帯端末用ケース体１Ｃにしても、前記本発明を実施するための第１の形態と同様な作用効果が得られる。
【００２２】
図１７ないし図１９に示す本発明を実施するための第５の形態において、前記本発明を実施するための第１の形態と主に異なる点は、両側部に係止凹部１３、１３を形成した覗き見防止フィルム６Ｃを用いるとともに、該覗き見防止フィルム６Ｃの係止凹部１３、１３と係合する係合片１４、１４を前縁部材４の両側部の内壁面に形成したケース体本体５Ｂを用いた点で、このような覗き見防止フィルム６Ｃとケース体本体５Ｂを用いて構成した携帯端末用ケース体１Ｄにしても前記本発明を実施するための第１の形態と同様な作用効果が得られるとともに、覗き見防止フィルム６Ｃの上下方向の移動を確実に阻止することができる。
【００２３】
図２０ないし図２２に示す本発明を実施するための第６の形態において、前記本発明を実施するための第１の形態と主に異なる点は、覗き見防止フィルム６の上下部と当接して、該覗き見防止フィルム６の移動を防止できるストッパー片１５、１５、１５、１５を前縁部材４の両側部４ａ、４ａに一体形成したケース体本体５Ｃを用いた点で、このようなケース体本体５Ｃを用いて構成した携帯端末用ケース体１Ｅにしても、前記本発明を実施するための第１の形態と同様な作用効果が得られるとともに、覗き見防止フィルム６の移動をストッパー片１５、１５、１５、１５で阻止することができる。
【００２４】
なお、本発明の実施の形態では、前縁部材４の両側部４ａ、４ａにストッパー片１５、１５、１５、１５を形成するものについて説明したが、本発明はこれに限らず、タッチパネル２にストッパー片を接着剤で固定しても同様な作用効果が得られる。
【００２５】
また、ストッパー片１５、１５、１５、１５の形状は、覗き見防止フィルム６の上下方向の移動を阻止できれば、長方形状、三角形状、円、楕円形状等、どんな形状であってもよい。
【００２６】
図２３ないし図２５に示す本発明を実施するための第７の形態において、前記本発明を実施するための第２の形態と主に異なる点は、両側部にゴム等の滑り止め材１６を貼着固定した覗き見防止フィルム６Ｄを用いた点で、このような覗き見防止フィルム６Ｄを用いて構成した携帯端末用ケース体１Ｆにしても、前記本発明を実施するための第２の形態と同様な作用効果が得られる。
【００２７】
なお、本発明の実施の形態では滑り止め材１６の代わりに粘着テープを用いても同様な効果が得られる。
【００２８】
図２６ないし図２８に示す本発明を実施するための第８の形態において、前記本発明を実施するための第１の形態と主に異なる点は、タッチパネル２Ａを備える携帯端末としてタブレット１７を用い、該タブレット１７をケース体本体５Ｄと着脱可能な覗き見防止フィルム６Ｅで覆う携帯端末用ケース体１Ｇを用いた点で、このようにしても、前記本発明を実施するための第１の形態と同様な作用効果が得られる。
【００２９】
図２９ないし図３１に示す本発明を実施するための第９の形態において、前記本発明を実施するための第１の形態と主に異なる点は、携帯端末としてのスマートフォン３の底面および下部外周部を覆う硬質プラスチックや金属材製の底ケース５ａ、この底ケース５ａの外周壁５ｂに形成された係合部５ｃ、この係合部５ｃと着脱自在に係合される係合片５ｄが形成された携帯端末としてのスマートフォン３の上面外周部およびを上部外周部を覆う硬質プラスチックや金属材製の前縁部材４Ａとからなるハードケースとしてのケース体本体５Ｅと、このケース体本体５Ｅの前縁部材４Ａの一方側に覗き見防止フィルム挿入凹部１８を形成し、他方側に覗き見防止フィルム差込凹部１９を形成するとともに、一方側に前記覗き見防止フィルム挿入凹部１８に挿入でき、他方側に覗き見防止フィルム差込凹部１９に差込固定することができる差込片２０が形成された覗き見防止フィルム６Ｆとを用いた点で、このようなケース体本体５Ｅと覗き見防止フィルム６Ｆを用いて構成した携帯端末用ケース体１Ｈにしても、前記本発明を実施するための第１の形態と同様な作用効果が得られる。
【００３０】
図３２ないし図３４に示す本発明を実施するための第１０の形態において、前記本発明を実施するための第９の形態と主に異なる点は、前縁部材４Ａの一方側に小さな覗き見防止フィルム挿入凹部１８Ａを形成し、他方側に２個の覗き見防止フィルム差込凹部１９、１９を形成したケース体本体５Ｆを用いるとともに、一方側に前記小さな覗き見防止フィルム挿入凹部１８Ａに挿入できる挿入片２１を形成し、他方側に覗き見防止フィルム差込凹部１９、１９に差込固定することができる差込片２０、２０が形成された覗き見防止フィルム６Ｇとを用いた点で、このようなケース体本体５Ｆと覗き見防止フィルム６Ｇを用いて構成した携帯端末用ケース体１Ｉにしても、前記本発明を実施するための第９の形態と同様な作用効果が得られる。
【００３１】
なお、前記本発明の第９、１０の形態で用いた、ハードケースとしてのケース体本体５Ｅの構造は、この構造に限ることなく、ハードケースとして一般的に使用されている構造のものを使用しても同様な効果が得られる。
【産業上の利用可能性】
【００３２】
本発明はタッチパネルを備えるスマートフォン、タブレット等の携帯端末を収納する携帯端末用ケース体を製造する産業で利用される。
【符号の説明】
【００３３】
１、１Ａ、１Ｂ、１Ｃ、１Ｄ、１Ｅ、１Ｆ、１Ｇ、１Ｈ、１Ｉ：携帯端末用ケース体、
２、２Ａ：タッチパネル、
３：携帯端末としてのスマートフォン、
４、４Ａ：前縁部材、
５、５Ａ、５Ｂ、５Ｃ、５Ｄ、５Ｅ、５Ｆ：ケース体本体、  
６、６Ａ、６Ｂ、６Ｃ、６Ｄ、６Ｅ、６Ｆ、６Ｇ：覗き見防止フィルム、
７：切り欠部、      ８：突部、
９：傾斜面、        １０、１１：凹部、
１２：ストッパー片、    １３：係合凹部、
１４：係合片、      １５：ストッパー片、
１６：滑り止め材、
１７：携帯端末としてのタブレット、
１８、１８Ａ：覗き見防止フィルム挿入凹部、
１９：覗き見防止フィルム差込凹部、
２０：差込片、                ２１：挿入片。
【図１】
2014060650.tif 000003
【図２】
2014060650.tif 000004
【図３】
2014060650.tif 000005
【図４】
2014060650.tif 000006
【図５】
2014060650.tif 000007
【図６】
2014060650.tif 000008
【図７】
2014060650.tif 000009
【図８】
2014060650.tif 000010
【図９】
2014060650.tif 000011
【図１０】
2014060650.tif 000012
【図１１】
2014060650.tif 000013
【図１２】
2014060650.tif 000014
【図１３】
2014060650.tif 000015
【図１４】
2014060650.tif 000016
【図１５】
2014060650.tif 000017
【図１６】
2014060650.tif 000018
【図１７】
2014060650.tif 000019
【図１８】
2014060650.tif 000020
【図１９】
2014060650.tif 000021
【図２０】
2014060650.tif 000022
【図２１】
2014060650.tif 000023
【図２２】
2014060650.tif 000024
【図２３】
2014060650.tif 000025
【図２４】
2014060650.tif 000026
【図２５】
2014060650.tif 000027
【図２６】
2014060650.tif 000028
【図２７】
2014060650.tif 000029
【図２８】
2014060650.tif 000030
【図２９】
2014060650.tif 000031
【図３０】
2014060650.tif 000032
【図３１】
2014060650.tif 000033
【図３２】
2014060650.tif 000034
【図３３】
2014060650.tif 000035
【図３４】
2014060650.tif 000036